(57)【要約】      （修正有）【課題】（１）メンテナンスの手間が必要なく、（２）激しい運動応力にも耐え、（３）日常生活においても転倒するリスクを予防できる簡便、かつ、安全性の高い多目的な滑り止め用具を提供する。【解決手段】化学繊維で構成されるシート生地に特殊な凹凸部の加工を施すこと及びこれらを個別の用具として裁断することにより、用途に応じた最適な滑り止めシートである。例えば、運動施設では、内部空間をネットで間仕切りされ下端部に当該滑り止め用具をセットすることで、プレイヤーの転倒防止が図れる。日常の生活空間においては、マット等の設置された箇所でマットの下部に当該滑り止め用具をセットすることで、生活者や来客の安全な使用が図られ、快適・安全な環境を与えることができる。【選択図】図１
2018057467.tif 000002
【特許請求の範囲】
【請求項１】
化学繊維で構成されるシート生地において、微細凹凸の加工を施した素材を用いたすべり止め用具。
【請求項２】
化学繊維がポリエステルで構成されることを特徴とする請求項１に記載の滑り止め用具。
【請求項３】
ポリウレタンの添加によって伸縮性を保持させたシート生地で構成されることを特徴とする請求項１乃至２に記載の滑り止め用具。
【請求項４】
微細凹凸の加工処理部位を、摩擦応力に対して垂直方向にｎ行（ｎは１以上の整数）に配置し、かつ、ｎ行以降の行位置において、凹凸部が一つずつ交互にズレて配置された構成をとることを特徴とする請求項１乃至３記載の滑り止め用具。
【請求項５】
簡易に取り付けが可能な形態に裁断をした請求項１乃至４記載の滑り止め用具。
【発明の詳細な説明】
【技術分野】
【０００１】
本発明は、密着性を高めた床面に設置しうる多目的な滑り止め用具に関するものであり、詳細には、特に体育施設屋内部の間仕切りネットの滑り防止及び室内の玄関マット等の滑り防止としてすぐれた機能を発揮する滑り止め用具に関するものである。
【背景技術】
【０００２】
従来、学校施設内や一般の体育施設内では、屋内の空間を仕切るため、あるいは防球用として、屋内の空間部外周に沿ってネットを吊り張りしている。そして、当該ネットは、間仕切りと防球の効果をより発揮させるために、大抵はネットの底面部を床に遊びのスペースを形成して弛ませている。
【０００３】
また、ネットを構成する網糸素材は、ポリエチレン、ポリエステル等の合成繊維が使用されているところ、当該合成繊維は床面に対する摩擦係数が小さいため、使用者が施設内でネット底面部を踏みつけると滑る危険性がある。これにプレー中の激しい動きが加わると、転倒して負傷しかねず大変危険である。
【０００４】
このような問題に対し、ネット全体もしくはその下端部及びその周辺に滑り止めの加工をした例がある（例えば、特許文献１）。当該加工は、ゴム性の樹脂を直接被覆することにより構成されるものであり、これによって、ネットの摩擦係数を上げ、滑り止め効果を奏するものである。
【０００５】
しかしながら、この方法では、表面の被覆ゴム材が剥がれやすくメンテナンス上の問題を有している。
【０００６】
また、この滑り止め効果の維持性を高めるため、ネットの網糸素材の表面を被覆するだけではなく、網糸内部（隙間）にも絡みつくように液状のゴム材で含浸させる加工処理を施した改良例もあるが（特許文献２）、使用を重ねるうちに被覆した部分の剥がれや経時劣化は避けられない。
【０００７】
特許文献１乃至２の提供する技術は、劣化した場合の再度のゴム材メンテナンスは非常に手間がかかるものであり、同時にゴム材は経年劣化で硬化するため、耐久年数を経過すると却って床面に対する摩擦係数を低くし滑り易くする欠点がある。
【０００８】
このように、従来技術によれば、床に対する滑り止めの効果はある程度一定の効果は収めたが、下端の滑り止めネット部分が、ネット本体と分離できない以上、床に接触するネット部分のメンテナンスと交換が事実上困難となり、ネット全体を取り外して再度の樹脂加工をする以外に手段がない。
【０００９】
特許文献３によれば、この問題解消のため、吊り張りしたネット本体と、該ネット本体の床面に接する滑り停め効果を備えたネット部分とが着脱自在なもので構成された技術手段が提供されている。
【００１０】
確かに、特許文献３によって、滑り止め機能を保持させるためのゴム材等の樹脂加工に係るメンテナンス性は向上した。
【００１１】
しかしながら、滑り止め用具としてネットを使用する以上、メンテナンスの手間が無くなるわけではない。また、ネットは被覆されているとはいえ、隙間部分が存在し、床面に接しているネット部分に激しい運動量で負荷がかかった場合の滑り止め機能の強度、堅牢性にもまだまだ改良の余地が残されている。さらに、間仕切りネット本体はワイヤーで上部両端を固定して吊り下げるが、ネット自体の重量がかなりあるため、どうしても自重で中央部分の弛みが生じ、結果、床部設置面には、無駄な網垂れがあるために、滑り止め用具としての機能が果たせない。加えて、ネット装着時には、中央部の自重によるネットの弛みを補正して装着することができない。
【００１２】
一方ここで、学校施設内や一般の体育施設内のケースとは異なって特段の運動行為を伴わない日常的な生活に目を向けてみると、スリップや転倒の問題は一般家庭や事務所の狭い空間でも散見される。
【００１３】
すなわち、例えば、玄関の入口や上り口上に設置されるマット、室内のフロアマットおよびインテリア用のマット等の使用形態が例示できるが、裏面に一般的に加工されている滑り止め機能は必ずしも十分とは言えない。
【００１４】
また、マット類を設置・接触する床面の材質によっても機能性は大きくかわる。先述のとおり、ゴム剤加工は、経年劣化の問題もあれば、他にも例えば、床にワックスや潤滑剤を使用して清掃されている場合には、特に激しい動きでなくても摩擦係数は低下して滑り易くなる。具体的には、介護施設等において、脚力の弱い人が軽い足摺で転倒するリスクも増すことになるから、簡便に危険回避するための用具が求められる。
【先行技術文献】
【特許文献】
【００１５】
【特許文献１】特開２００２−４５４５６号
【特許文献２】特願２０１２−２１９１６８号
【特許文献３】特願２０１３−１１３４５９号
【発明の概要】
【発明が解決しようとする課題】
【００１６】
本発明は、上記課題を解決するものであって、（１）メンテナンスの手間がなく、（２）激しい運動応力にも耐え、（３）日常生活においても転倒するリスクを予防できる取り付け簡便、かつ、安全性の高い多目的な滑り止め用具を提供することを課題とするものである。
【課題を解決するための手段】
【００１７】
本発明者は、上記課題を解決するため鋭意検討を重ねた結果、化学繊維で構成されるシート生地に特殊な凹凸部の加工を施すこと及びこれらを個別の用具として裁断することにより、所望の効果を見出し、本発明を完成した。
【００１８】
すなわち、本発明の第１発明によれば、化学繊維で構成されるシート生地において、特殊な微細凹凸部の加工を施した素材を用いたすべり止め用具が提供される（以下、単に「第１発明」と呼ぶことがある）。
【００１９】
ここで、化学繊維としては、ポリエチレン、ポリエステル、ニトリルゴムおよびポリウレタンが挙げられるが、滑り止め効果や加工の点で最も好ましいのは、ポリエステルである。
【００２０】
すなわち、本発明の第２の発明によれば、ポリエステルで構成されるシート生地において、微細凹凸の加工を施した素材を用いたすべり止め用具が提供される（以下、単に「第２発明」と呼ぶことがある）。
【００２１】
また、本発明においては、化学繊維の一部にポリウレタンを添加することによって、シート生地に伸縮性の機能を付加させることができる。当該伸縮性は、設置する接触面クッション性を向上させる効果をもたらすため、滑り止め用具として用いた場合には、自重で接地面に即時フィットし、適度に伸びて密着するために滑り止め効果が飛躍的に増強する。急激に過度な負荷がかかる場合には、滑り止め機能と応力緩和・吸収機能を併せ持つことが合理的であり、人がマット等に足をかけたときの負担が軽減され、より安全性が担保される。
【００２２】
すなわち、本発明の第３の発明によれば、ポリウレタンの添加によって伸縮性を保持させたシート生地において、微細凹凸の加工を施した素材を用いたすべり止め用具が提供される（以下、単に「第３発明」と呼ぶことがある）。当該第３発明において、ポリウレタンの最適な添加量は、化学繊維１００部に対して２乃至７部の範囲である。当該至適な範囲を超えると、適度な伸縮性が得られず却ってすべり止めの機能性が落ちる。
【００２３】
当該滑り止め効果は、運動量の有無にかかわらず、適応するものであり、滑り止め用具の形状やサイズも設置場所に応じた裁断をすることができる。
【００２４】
本発明では、特定の化学繊維で構成するシート生地には、特殊の加工を施して、設置面に対する摩擦力を高める手段を講じるものであるところ、シート表面部に微細の凹凸部を設ける。
【００２５】
微細な凹凸部は、規則的な配列で構成することを基本処理とし、凹凸部の個々の形状と大きさは、任意であるが、この構成を組み合せることによって滑り止め効果の強弱調整を可能にする。
【００２６】
上記、微細な凹凸部の規則的な配列として最も重要、かつ、好ましいのは、摩擦応力に対して垂直方向にｎ行（ｎは１以上の整数）に配置し、かつ、ｎ行以降の行位置において、凹凸部が一つずつ交互にズレて配置された構成をとることである。
【００２７】
すなわち、本発明の第４の発明によれば、化学繊維による生地シートにおいて、微細凹凸の加工処理部位を設け、当該加工処理部位が、摩擦応力に対して垂直方向にｎ行（ｎは１以上の整数）に配置し、かつ、ｎ行以降の行位置において、凹凸部が一つずつ交互にズレて配置された構成をとることを特徴とする滑り止め用具が提供される（以下、単に「第４発明」と呼ぶことがある）。
【００２８】
上記、第１発明から第４発明については、用途に応じて、最適な形態に裁断し加工することで、所望の滑り止め機能を発揮することができる。
【００２９】
すなわち、本発明の第５の発明によれば、簡易に取り付けが可能な形態に裁断をした滑り止め用具が提供される（以下、単に「第５発明」と呼ぶことがある）。  
【発明の効果】
【００３０】
第１の発明乃至第５の発明によって、次の効果がもたらされる。
（１）メンテナンスの手間が必要なく、（２）激しい運動応力にも耐え、（３）日常生活においても転倒するリスクを予防できる安全性の高い多目的な滑り止め用具を提供がされ、例えば、運動施設では、内部空間をネットで間仕切りされ下端部に当該滑り止め用具をセットすることで、プレイヤーの転倒防止が図れる。日常の生活空間においては、マット等の設置された箇所でマットの下部に当該滑り止め用具をセットすることで、生活者や来客の安全な使用が図られ、快適・安全な環境を与えることができる。
【図面の簡単な説明】
【００３１】
【図１】滑り止め用具のシート生地表面の例を示す図である
【図２】施設の間仕切りネットに装着する用具の例を示す図である。
【図３】室内フロアマット等に装着する用具の例を示す図である。
【発明を実施するための形態】
【００３２】
以下、本発明を実施するための具体的な形態について詳細に説明するが、本発明の技術的範囲は以下に開示する具体的な形態や実施例のみに限定されるものではない。
【実施例】
【００３３】
以下、図１乃至３を用いて、本発明の実施例を示す。
＜実施例１＞運動施設における間仕切りネットの場合
図１には、本発明の滑り止め用具の生地シート表面の加工状態と摩擦力発揮の機能特性をしめしたものである。当該本発明の滑り止め用具は、表面に特殊な処理を施す。生地シートとしては、ポリエチレン製が加工処理性と機能性に優れているので最も好適に採用し得る。
【００３４】
すなわち、行と列には規則的な凹凸処理をする。行と列方向は一行おきに交互に同じ凹凸が並ぶように処理する。凹凸の形状は任意であるが、図１には、スクエア形状での処理例を示した。凹凸は、負荷（運動等により加わる力とその応力；摩擦力）に対して垂直に配列させている。この配列によって、凹部凸部の力吸収性が合理的に発揮され、相応の応力、つまり摩擦力が生じる。この交互配置は、例えば、図１に示したように、斜め方向から刺激が加わったとしても、垂直の刺激の場合と同様に、凹凸部のクッション性および摩擦力の合理的機能が発揮でき、滑り止め効果を奏する。
【００３５】
上述のとおり、凹凸部の形状は、丸でもひし形でもいろいろな形を採用することは任意であり、摩擦力を調整するために、大きさを変えることも任意である。凹凸部の形状と大きさの組みあわせによって、いろんな運動量にも対応可能な滑り止め用具が提供達成できるものである。
【００３６】
さらに、生地シートの組成を変更することで特性に変化を付加することができる。凹凸部の配列により、刺激が加わった時の吸収特性は基本的に備わっているが、さらに運動者の足への負担を緩和できるように、ポリウレタンを生地組成に配合しておくことで、ソフトな生地シートを提供することができる。当該ソフトな特性を付加することによって、ネットへのフィット性と装着性が格段に向上する。
【００３７】
図２に、間仕切りネットに本発明の滑り止め用具を装着した例を示した。基本形状は、９に示したように間仕切りネット下端部に、用具を中央から折りたたんで挟むタイプである。滑り止め用具の裏面には、貼付剤を塗布して装着できるようにするが、最も適しているのは、図面２の８に示したような、いわゆるマジックテープ（登録商標）タイプである。
【００３８】
装着作業時に、従来から負担がかかっていたのが、ネットの自重による下端中央部の撓み調整である。本発明の滑り止め用具は、シートの長さを任意に調整でき、また簡易に挟むタイプなので、撓んだネットの一部をカッティングして装着することも可能である。また、装着後はわずかな隙間部分（図２の１１）があるため、間仕切りネットの折りたたみ収納も簡単であり、嵩張らない。
【００３９】
装着後の床面設置は図２の６の部分がすべて床に接触するようにおこうことで、球技であれば防球ができ、人の転倒も安心して防ぐことができるものである。
【００４０】
＜実施例２＞小規模施設内・室内におけるマットの場合
図３に、フロアマットの実施例を示した。本発明で用いる表面を特殊処理した生地シートをフロアマット１２に対して、適する大きさに裁断し、本発明の滑り止め用具とする（図３の１４）が、形態や大きさは特段の制約はなく、任意に調整し得るものである。
【００４１】
当該滑り止め用具をフロアマットの裏面の四隅に貼付する（図３の１３）。貼付は、両面タイプのシールやマジックテープ（登録商標）等を用いて固定する。図３は四隅で止めるタイプであるが、貼付の方向、貼付の数及び場所はフロアの状態や用途に応じて任意である。
【００４２】
このようにして準備したフロアマットは、室内や比較的狭い空間で多目的に使用することができ、それぞれの用途において、良好な滑り止め効果を発揮するものである。
【符号の説明】
【００４３】
１  本発明の生地シート（表面処理したもの）における凸部
２  本発明の生地シート（表面処理したもの）の行方向を示す
３  負荷（人的な力）の方向（垂直・斜め）を例示したもの
４  ３に対する摩擦力の方向（垂直・斜め）を例示したもの
５  運動施設における間仕切りネット
６  本発明の滑り止め用具（間仕切りネット用）
７  側面の展開図
８  本発明を間仕切りネットに装着する際の装着用テープ部分
９  本発明の滑り止め用具を展開したときの表面
１０  本発明の滑り止め用具の表面側
１１  本発明の滑り止め用具を装着した場合のわずかな隙間
１２  マット正面図
１３  マット底面図（滑り止め用具を装着例を示す）
１４  本発明の滑り止め用具（室内マット用）
【図１】
2018057467.tif 000003
【図２】
2018057467.tif 000004
【図３】
2018057467.tif 000005